(57)【要約】【課題】パネル取付の作業性が良好であり、支柱に角形鋼管を用いる場合に有効な防音壁のパネル取付構造を提供する。【解決手段】パネル取付構造１５は、角形鋼管である支柱１２側のパネル背面受け部と、支柱の前面側に設けられたパネル拘束構造１８とからなる。パネル拘束構造１８は、支柱前面１２ａから離間した垂直板状受け部２０ａを有し支柱前面に固定された受け部材２０と、支柱側の前記パネル背面受け部との間に溝状空間を形成する固定金物２３とからなる。固定金物２３は落下防止部２５を一体に備える。受け部材２０及び固定金物２３にそれぞれ設けた対向するボルト挿通穴２０ｂ、２４ｃにボルト２７を支柱前面２７側から挿入し、ボルト２７にナット２８を螺合させる。パネルの両端部を、左右両側の支柱のパネル背面受け部と固定金物２３との間に形成される溝状空間に上から差し込み、ナット２８を締め付けてパネルを固定する。【選択図】図７
2011214220.tif 000002
【特許請求の範囲】
【請求項１】
角形鋼管からなる支柱に、横長のパネルの横端部を上から差し込み可能な溝状空間を設け、隣接する左右の支柱の前記溝状空間に複数のパネルの両横端部を順次上から差し込み積み重ねてなる防音壁のパネル取付構造であって、
支柱に設けられてパネルの横端部の背面側を受けるパネル背面受け部と、支柱の前面側に設けられて、前記パネル背面受け部との間に前記溝状空間を形成してパネルを拘束するパネル拘束構造とからなり、
前記パネル拘束構造は、
支柱前面から離間した垂直板状受け部を有する支柱前面に固定された受け部材と、
支柱側の前記パネル背面受け部との間に前記溝状空間を形成する垂直平板部を左右両側に有する縦長の固定金物とを備え、該固定金物には前記受け部材の垂直板状受け部の上端縁に載る載置部と前記垂直板状受け部に係止可能な下向き突片とを有する落下防止部が一体に設けられ、
前記受け部材及び固定金物にそれぞれ設けられた対向するボルト挿通穴に支柱前面側から支柱と離れる方向へ挿通されるボルトと、
前記ボルトに固定金物の外面側から螺合し締着されるナットとを有することを特徴とする防音壁のパネル取付構造。
【請求項２】
前記固定金物が複数のパネル分の高さを有することを特徴とする請求項１に記載の防音壁のパネル取付構造。
【請求項３】
支柱側の受け部材と固定金物側の落下防止部との組みを、積み重ねる各パネル毎に設けたことを特徴とする請求項１又は２に記載のパネル拘束構造。
【請求項４】
前記固定金物は、左右両側の前記垂直平板部と幅方向中央部の上から見て支柱前面側が開放のコ字形をなすコ字形部とからなるハット形断面形状をなし、前記コ字形部に前記ボルト挿通穴を有することを特徴とする請求項１〜３のいずれか１項に記載の防音壁のパネル取付構造。
【請求項５】
前記受け部材は、一方の辺が支柱前面から離間した前記垂直板状受け部となるように配した山形鋼からなり、その他方の辺が取付部材を介して支柱前面に固定されたことを特徴とする請求項１〜４のいずれか１項に記載の防音壁のパネル取付構造。
【請求項６】
前記ボルトは、ボルト挿通穴を有する平板部の上端部に、前記受け部材の垂直板状受け部の上端縁に掛けられるフック部を持つ鋼板製の回り止め部材の前記ボルト挿通穴に通され、ボルト頭部が前記平板部に溶接固定されていることを特徴とする請求項１〜５のいずれか１項に記載の防音壁のパネル取付構造。
【請求項７】
請求項１記載のパネル取付構造を備えた防音壁の構築方法であって、
パネル背面受け部を備え前面に受け部材を固定してなる複数の支柱を間隔をあけて立設し、
受け部材の支柱前面に対して離間している垂直板状受け部のボルト挿通穴に支柱前面側から支柱と離れる方向へボルトを挿入し、
両側の支柱の前面側にそれぞれ固定金物を垂直に配して、その落下防止部の載置部を受け部材の垂直板状受け部に載せ、
固定金物のボルト挿通穴の位置を受け部材の垂直板状受け部のボルト挿通穴の位置に合わせした上で、垂直板状受け部のボルト挿通穴に挿入した前記ボルトをさらに深く挿入して固定金物のボルト挿通穴を貫通させ、次いで、固定金物の外面側に露出したボルトにナットを螺合させて、支柱に受け部材を介して仮保持された固定金物と支柱側のパネル背面受け部との間に溝状空間を形成し、
次いで、パネルの両横端部を左右の支柱に形成された前記溝状空間に差し込んだ後、前記ナットをさらに締め付けて、パネルの横端部を最終的に締め付け固定することを特徴とする防音壁の構築方法。
【発明の詳細な説明】
【技術分野】
【０００１】
この発明は、角形鋼管からなる支柱に、横長のパネルの横端部を上から差し込み可能な溝状空間を設け、隣接する左右の支柱の前記溝状空間に複数のパネルの両横端部を順次上から差し込み積み重ねてなる防音壁のパネル取付構造、及び、このパネル取付構造を備えた防音壁の構築方法に関する。
【背景技術】
【０００２】
支柱に横長のパネルの横端部を上から差し込み可能な溝状空間を設け、隣接する左右の支柱の前記溝状空間に複数のパネルの両横端部を順次上から差し込んで（落とし込んで）積み重ねるパネル差込式のパネル取付構造が、防音壁において採用される場合がある。
この種の防音壁では、図１４に断面を示すように、Ｈ形鋼による支柱１を間隔をあけて立設し、パネル２の両横端部をＨ形鋼のウエブとフランジとで形成される溝状空間３に差し込んで積み重ねる方式が一般的である。
【０００３】
また、図１５（イ）に示すように、支柱１’の断面外形が角形である場合に、支柱前面１ａ’にボルト４を直角に固定し、このボルト４に通すボルト挿通穴をあけたハット形の金物５を用いてパネル２を固定するものがある。この例では、さらに、ボルト挿通穴をあけたＺ形の金物６を用いており、このＺ形の２つの金物６を左右逆向きに配し、一辺側を重ねて両ボルト挿通穴にボルト４を通し、他辺側を左右のパネル２の端部に当てている。そして、ハット形の金物５のボルト挿通穴にボルト４を通し、ナット７を螺合させ締め付けることで、前記Ｚ形の金物６の他辺の上からパネル２の端部を締め付け固定する（引用文献１）。
【０００４】
また、前記Ｚ形の金物６を用いないで、図１５（ロ）のように、ハット形の金物５のみでパネル２の端部を支柱１’の前面１ａ’に押し付け固定する構造も採用されており、むしろ一般的である。
また、図１５（ロ）において、ハット形の金物５に代えて、単なる平板状の金物を用いる場合もある。
なお、図１５（イ）、（ロ）の構造の場合、通常、パネル２を支柱前面１ａ’に当てた状態で金物５で締め付け固定する作業方法を採用するが、金物５（又は金物５及び６）を締め付けない状態で形成した溝状空間（支柱前面１ａ’と金物５（又は金物５及び６）との間の空間）にパネル２を上から差し込んで（落とし込んで）積み重ね、次いでナット６で締め付け固定することも一応可能である。
【先行技術文献】
【特許文献】
【０００５】
【特許文献１】実公平５３−１６８０６
【発明の概要】
【発明が解決しようとする課題】
【０００６】
図１４のように、支柱１がＨ形鋼の場合は捩れに対する剛性が低いので、パネル２をその溝状空間３に落とし込む構造の場合、防音壁の高さが高くパネル枚数が多数となると、支柱に大きな荷重が作用し、支柱に捻れが生じる恐れがある。
角形鋼管はその断面形状により捻れ剛性が高いので、支柱として角形鋼管を採用することが考えられる。また、支柱を軽量化する目的で、図１４のようなＨ形綱ではなく角形鋼管を適用することがある。その場合に、図１５（イ）や（ロ）のようなパネル取付構造が考えられる。しかし、このパネル取付構造で、前述のパネル差し込み方式を採用する場合、パネル２を差し込む段階（ナットを最終的に締め付ける前の段階）での溝状空間を安定して形成することが簡単とは言い難い。ナット７が奥まった位置にありナット操作がしにくい等により、作業性も悪い。
また、ボルト４を支柱１'に直接固定するためには、固定手段として溶接などの加工が必要となる。
また、ボルト４に金物５（又は５と６）の重量が直接作用するので、例えば道路から伝わる振動と相俟ってボルトに金属疲労が生じ易い。
これらの問題は、防音壁高さがあまり高くなくまたパネルが軽量で支柱に大きな荷重が作用しない場合には問題とならないが、防音壁高さがかなり高くなりまたパネル重量が大である場合には好ましくない問題となる。
【０００７】
本発明は上記背景のもとになされたもので、防音壁の支柱として捻れ剛性の高い角形鋼管を用い、かつ横長のパネルの横端部を支柱に設けた溝状空間に差し込んで積み重ねる構造とする場合に、パネル取付の作業性が良好であり、パネル取付に用いるボルトの緩みが生じにくく、また、ボルトに金属疲労が発生する恐れが少なく、支柱に大きな荷重が作用する場合に特に有効な防音壁のパネル取付構造、及び防音壁の構築方法を提供することを目的とする。
【課題を解決するための手段】
【０００８】
上記課題を解決する請求項１の発明は、角形鋼管からなる支柱に、横長のパネルの横端部を上から差し込み可能な溝状空間を設け、隣接する左右の支柱の前記溝状空間に複数のパネルの両横端部を順次上から差し込み積み重ねてなる防音壁のパネル取付構造であって、
支柱に設けられてパネルの横端部の背面側を受けるパネル背面受け部と、支柱の前面側に設けられて、前記パネル背面受け部との間に前記溝状空間を形成してパネルを拘束するパネル拘束構造とからなり、
前記パネル拘束構造は、支柱前面から離間した垂直板状受け部を有する支柱前面に固定された受け部材と、支柱側の前記パネル背面受け部との間に前記溝状空間を形成する垂直平板部を左右両側に有する縦長の固定金物とを備え、該固定金物には前記受け部材の垂直板状受け部の上端縁に載る載置部と前記垂直板状受け部に係止可能な下向き突片とを有する落下防止部が一体に設けられ、前記受け部材及び固定金物にそれぞれ設けられた対向するボルト挿通穴に支柱前面側から支柱と離れる方向へ挿通されるボルトと、前記ボルトに固定金物の外面側から螺合し締着されるナットとを有することを特徴とする。
【０００９】
請求項２は、請求項１のパネル取付構造において、固定金物が複数のパネル分の高さを有することを特徴とする。
【００１０】
請求項３は、請求項１又は２のパネル取付構造において、支柱側の受け部材と固定金物側の落下防止部との組みを、積み重ねる各パネル毎に設けたことを特徴とする。
【００１１】
請求項４は、請求項１〜３のいずれかのパネル取付構造において、固定金物が、左右両側の前記垂直平板部と幅方向中央部の上から見て支柱前面側が開放のコ字形をなすコ字形部とからなるハット形断面形状をなし、前記コ字形部に前記ボルト挿通穴を有することを特徴とする。
【００１２】
請求項５は、請求項１〜４のいずれかのパネル取付構造において、受け部材が、一方の辺が支柱前面から離間した前記垂直板状受け部となるように配した山形鋼からなり、その他方の辺が取付部材を介して支柱前面に固定されたことを特徴とする。
【００１３】
請求項６は、請求項１〜５のいずれかのパネル取付構造において、ボルトが、ボルト挿通穴を有する平板部の上端部に、前記受け部材の垂直板状受け部の上端縁に掛けられるフック部を持つ鋼板製の回り止め部材の前記ボルト挿通穴に通され、ボルト頭部が前記平板部に溶接固定されていることを特徴とする。
【００１４】
請求項７の発明は、請求項１記載のパネル取付構造を備えた防音壁の構築方法であって、
パネル背面受け部を備え前面に受け部材を固定してなる複数の支柱を間隔をあけて立設し、受け部材の支柱前面に対して離間している垂直板状受け部のボルト挿通穴に支柱前面側から支柱と離れる方向へボルトを挿入し、両側の支柱の前面側にそれぞれ固定金物を垂直に配して、その落下防止部の載置部を受け部材の垂直板状受け部に載せ、固定金物のボルト挿通穴の位置を受け部材の垂直板状受け部のボルト挿通穴の位置に合わせした上で、垂直板状受け部のボルト挿通穴に挿入した前記ボルトをさらに深く挿入して固定金物のボルト挿通穴を貫通させ、次いで、固定金物の外面側に露出したボルトにナットを螺合させて、支柱に受け部材を介して仮保持された固定金物と支柱側のパネル背面受け部との間に溝状空間を形成し、次いで、パネルの両横端部を左右の支柱に形成された前記溝状空間に差し込んだ後、前記ナットをさらに締め付けて、パネルの横端部を最終的に締め付け固定することを特徴とする。
【発明の効果】
【００１５】
本発明において、固定金物の落下防止部を支柱前面に固定された受け部材の垂直板状受け部に載せるだけで、パネル取付構造の主たる部材である固定金物が支柱に仮保持されるので、ボルト締め等のその後の作業が容易であり、パネル取付の作業性は良好である。
この場合、落下防止部が、受け部材の垂直板状受け部に係止可能な下向き突片を持つので、施工中に、仮保持された固定金物が落下する恐れはない。また、施工後に仮にナットがボルトから外れたとしても、固定金物が落下する恐れはない。
また、固定金物の重量は落下防止部を介して、支柱に固定された受け部材が受けるので、ボルトには作用しない。したがって、ボルトには締め付け荷重以外の余分な力は作用せず、ボルトに例えば道路から伝わる振動による金属疲労が発生する恐れは少ない。
支柱が角形鋼管でありＨ形鋼と比べて捻れ剛性が高いので、また、上記の各効果と相俟って、本発明は、支柱に大きな荷重が作用する場合に特に有効である。
また、ナットが固定金物の外側になるので、ナット緩みの有無を容易に確認することができ、また、締め増しも容易であり、メンテナンスを行い易い。
【００１６】
請求項２のように、固定金物として複数のパネル分の高さを持つ固定金物を用いると、溝状空間へスムーズにパネルを差し込め、複数のパネルを同時に押えることができるのでパネル取付作業の能率が向上する。
請求項３のように、支柱側の受け部材と固定金物側の落下防止部との組みを、積み重ねる各パネル毎に１つずつ設けるという簡単な構造で、固定金物を支持する機能を良好に果たすことができる。
【００１７】
請求項４のように、固定金物の断面形状を幅方向中央部にコ字形部を持つハット形とすることで、固定金物の剛性を高くすることができる。
【００１８】
請求項６によれば、受け部材の垂直板状受け部の上端縁に掛けた回り止め部材のフック部の上に固定金物の落下防止部が載り、フック部が固定金物の重量で押さえられるので、回り止め部材に固定されたボルトの回り止めが確実になされる。
また、フック部に固定金物の落下防止部が載っていない状態でも、幅のある板状のフック部が垂直板状受け部の上端縁に載っている状態は、回り止め部材が回転することに対して一定の拘束作用をするので、やはりボルトの回り止めにある程度有効である。
【００１９】
請求項７の防音壁の構築方法によれば、本発明のパネル取付構造の特徴を有効に活かして、パネル取付を能率的に行うことができる。
【図面の簡単な説明】
【００２０】
【図１】本発明の一実施例の防音壁である吸音壁の断面図である。
【図２】図１の防音壁の一部の正面図である。
【図３】（イ）は図２のＡ部を拡大した図、（ロ）は（イ）のＢ−Ｂ断面図である。
【図４】図３（ロ）の片側の支柱部分の詳細を示した拡大図である（向きを９０°変えて図示）。
【図５】図４の要部拡大図である。
【図６】図５で落下防止材を除いて示した図である。
【図７】図５のＣ−Ｃ断面図である。
【図８】図７の構造を分解して示した図である。
【図９】図３〜図８等における固定金物のみを示すもので、（イ）は要部の背面図（内側から見た図）、（ロ）は（イ）の平面図、（ハ）は（ロ）のＤ−Ｄ断面図である。
【図１０】図４〜図８等における受け部材を示すもので、（イ）は正面図、（ロ）は（イ）のＥ−Ｅ断面図である。
【図１１】図４〜図８等における回り止め部材付きのボルトを示すもので、（イ）は平面図（ロ）は回り止め部材を断面で示した正面図、（ハ）は右側面図である。
【図１２】パネルが吸音パネルである場合における吸音パネルの一例を示すもので、（イ）は正面図、（ロ）は縦断面図である。
【図１３】パネル取付構造の他の実施例を示すもので、図４に相当する図である。
【図１４】パネル差し込み式の従来の防音壁のパネル取付構造の一例を示すもので、防音壁の断面図である。
【図１５】従来の防音壁のパネル取付構造の他の例を示す要部の水平断面図であり、（イ）、（ロ）はそれぞれ異なる例である。
【発明を実施するための形態】
【００２１】
以下、本発明を実施した防音壁のパネル取付構造、及び防音壁の構築方法について、図面を参照して説明する。
【実施例１】
【００２２】
図１は本発明の一実施例のパネル取付構造を採用した防音壁１１の断面図、図２は図１の防音壁１１の一部の正面図である。この実施例の防音壁１１は高速道路に沿って設置される吸音壁である。
支柱１２として角形鋼管が用いられ、支柱１２間に吸音パネルである横長のパネル１３が多数積み重ね状態で配置されている。
複数のパネル１３を積み重ね状態で支柱１２に取り付けるパネル取付構造の詳細を図３〜図１１を参照して説明する。
このパネル取付構造は、角形鋼管である支柱１２の側面に固定されてパネルの横端部の背面側を受けるパネル背面受け部１６と、支柱１２の前面１２ａ側に設けられて、前記パネル背面受け部１６との間に溝状空間１７を形成してパネルを拘束するパネル拘束構造１８とからなっている。パネル取付構造を符号１５で示す。
実施例ではパネル背面受け材１６として、山形鋼を支柱１２の側面に支柱１２の高さ全体に亘って溶接固定している。
【００２３】
前記パネル拘束構造１８は、図４〜図８に示すように、支柱前面１２ａから離間した垂直板状受け部２０ａを有し支柱前面１２ａに固定された受け部材２０と、この受け部材２０で支持される固定金物２３と、前記受け部材２０及び固定金物２３にそれぞれ設けた対向するボルト挿通穴に支柱前面側から支柱と離れる方向へ挿通されるボルト２７と、前記ボルト２７に固定金物の外面側から螺合し締着されるナット２８とを有している。
【００２４】
前記受け部材２０は、図４〜図８、図１０に示すように、一方の辺が支柱前面１２ａから離間した前記垂直板状受け部２０ａとなるように配した山形鋼からなり、その他方の辺が取付部材２１を介して支柱前面１２ａに固定されている。垂直板状受け部２０ａには縦長のボルト挿通穴２０ｂをあけている。図示例では、取付部材として用いた山形鋼２１の一辺を支柱前面１２ａに当てて溶接固定し、この山形鋼２１の上面に、前記受け部材２０の他方の辺を溶接固定している。取付部材の山形鋼２１は同じく山形鋼である受け部材２０より短く、受け部材２０の中央部を受けている（図１０（イ）参照）。ただし、前記受け部材２０を支柱１２へ直接固定するために、溶接を行い十分な強度を持たせることで前記取付部材２１を省くこともできる。また、前記受け部材２０は、前記垂直板状受け部２０ａを有していれば山形鋼に限らず、例えば、溝形鋼を用いて溝を上に向けて支柱に溶接などで固定する配置にしてもよい。このような配置とすることで、溝形鋼の２辺のフランジの支柱から遠い１辺が前記垂直板状受け部２０ａと同様の役割を果たすし、支柱に接する側の１辺を支柱に溶接などで固定できるので、前記取付部材２１が不要となる。
【００２５】
前記固定金物２３は、図４〜図８、図９に示すように、支柱１２側の前記パネル背面受け部１６との間に前記溝状空間１７を形成する垂直平板部２４ａを左右両側に有するとともに、左右両側の垂直平板部２４ａ間に上から見て支柱前面側が開放のコ字形をなすコ字形部２４ｂを有するハット形断面形状をなす固定金物本体２４と、この固定金物本体２４の幅方向中央位置に固定された落下防止部２５とからなる。
落下防止部２５は、受け部材２０の垂直板状受け部２０ａの上端縁に載る水平な板状の載置部２５ａと前記垂直板状受け部２０ａに係止可能な下向き突片２５ｂとを有する下向きＬ形断面をなしている。前記載置部２５ａは、図５、図９にも示すように、固定金物本体２４のコ字形部２４ｂの内面に合わせた外形を持ち、外形縁部が溶接固定されている。
固定金物本体２４のコ字形部２４ｂに縦長のボルト挿通穴２４ｃをあけている。
【００２６】
支柱１２側の受け部材２０及び固定金物２３側の落下防止部２５との組みは、実施例では、図３（イ）のボルト２７及びナット２８が示すように、固定金物２３の上端部と下端部と中間部との３箇所に設けられている。なお、図１に示すように、最下段の固定金物２３’は２つのパネル１３に対応する高さなので、受け部材２０と落下防止部２５との組みは２箇所である。
１つの固定金物２３に対応する受け部材２０と落下防止部２５との組みの数は、各パネル１３ごとに１箇所設けることでパネルをしっかり取り付けることができる。このように、受け部材２０と落下防止部２５との組みを、積み重ねる各パネル毎に１つずつ設けるという簡単な構造で、固定金物を支持する機能を良好に果たすことができる。
【００２７】
実施例のボルト２７は、六角ボルトであり、図４〜図８、図１１に示すように、単独ではなく、鋼板製の回り止め部材２９に固定されて用いられている。
回り止め部材２９は、ボルト挿通穴２９ａを有する平板部２９ｂの上端部に、前記受け部材２０の垂直板状受け部２０ａの上端縁に掛けられるフック部２９ｃを有し、平板部２９ｂの下端にフック部２９ｃ側と反対側に折曲した頭部受け片２９ｄを有している。
ボルト２７は、回り止め部材２９の前記ボルト挿通穴２９ａに通され、六角のボルト頭部２７ａの一辺を前記頭部受け片２９ｄで受け、ボルト頭部２７ａの一辺の両側と、前記一辺に対向する上側の他辺の中央との３点で点付け溶接されている。
【００２８】
実施例のパネル１３は前述の通り吸音パネルであり、例えば図１２に示すように、多数の吸音用開口１３ａを持つ正面板１３ｂとその背面側の背面板１３ｃと側面の側面板１３ｄとを接合した概ね薄い横長の箱型をなす金属板製外郭１３ｅの内部に吸音材１３ｆを収納した構造である。
【００２９】
上記のパネル取付構造１５を備えた防音壁を構築する要領を説明すると、
まず、パネル背面受け部１６を備え、前面に受け部材２０を固定してなる複数の支柱１２を間隔をあけて立設する。
次いで、受け部材２０の支柱前面１２ａに対して離間している垂直板状受け部２０ａのボルト挿通穴２０ｂに支柱前面側から支柱と離れる方向へ挿通ボルト２７を挿入する。この場合、ボルト２７を図８の支柱前面１２ａと垂直板状受け部２０ａとの間の空間から斜めにしてボルト挿通穴２０ｂに挿入する。支柱前面１２ａと垂直板状受け部２０ａとの間の空間は狭いので、ボルト２７を挿入し易く（ないし挿入可能に）するために、ボルト挿通穴２０ｂ（及び固定金物本体２４のボルト挿通穴２４ｃ）を縦の長穴にしている。
次いで、隣接する左右の支柱１２の前面側にそれぞれ固定金物２３を垂直に配して、その落下防止部２５の水平板状の載置部２５ａを受け部材の垂直板状受け部２０ａに載せて、固定金物２３を支柱１２側に仮保持する。落下防止部２５の先端に下向き突片２５ｂがあるので、施工途中で、固定金物２３が落下する恐れはない。
【００３０】
なお、この実施例では、ボルト２７が回り止め部材２９に固定されてるので、ボルト２７は単独でなく回り止め部材２９と一体に使用するが、その際、回り止め部材２９のフック部２９ｃを垂直板状受け部２０ａの上端縁に掛かるようにして、ボルト２７をボルト挿通穴２０ｂに挿入する。
この場合、固定金物２３の落下防止部２５が回り止め部材２９のフック部２９ｃの上に載り、フック部２９ｃが固定金物２３の重量で押さえられるので、回り止め部材２９に固定されたボルト２７の回り止めが確実になされる。
なお、仮に、フック部２９ｃに固定金物２３の落下防止部２５が載っていない状態でも、幅のある板状のフック部２９ｃが垂直板状受け部２０ａの上端縁に載っている状態は、回り止め部材２９が回転することに対して一定の拘束作用をするので、やはりボルト２７の回り止めに、ある程度有効である。
また、この実施例では、回り止め部材２９に六角のボルト頭部２７ａを受ける頭部受け片２９ｄを設けて点付け溶接する構造なので、ボルト頭部２７ａを簡単に回り止め部材２９に固定できる。
【００３１】
次いで、固定金物２３のボルト挿通穴２４ｃの位置を受け部材２０の垂直板状受け部２０ａのボルト挿通穴２０ｂの位置に合わせた上で、垂直板状受け部２０ａのボルト挿通穴２０ｂに挿入した前記ボルト２７をさらに深く挿入して固定金物２３のボルト挿通穴２４ｃを貫通させる。
なお、固定金物２３を受け部材２０の垂直板状受け部２０ａに掛けた状態でボルト２７を両ボルト挿通穴２０ｂ、２４ｃに挿入することが可能であれば、そのような手順としてよい（固定金物２３を垂直板状受け部２０ａに掛ける前に予めボルト２７を垂直板状受け部２０ａのボルト挿通穴２０ｂに挿入する手順とせずに）。
次いで、固定金物２３の外面側に先端が露出したボルト２７にナット２８を螺合させる。この段階ではナット２８はボルト２７に緩く螺合させておく。これにより、支柱１２に受け部材２０を介して仮保持された固定金物２３と支柱１２側のパネル背面受け部１６との間に上面から見て溝状空間１７を形成される。
次いで、パネル１３の両端部を左右の支柱１２に形成された前記溝状空間１７に、図３（イ）の２点鎖線で示すように上から差し込み（落とし込み）、次いで前記ナット２８をさらに締め付けて、パネル１３の端部を締め付け固定する。
この実施例では固定金物２３が３つのパネル１３分の高さを持つので、３つのパネル１３を溝状空間１７に順次上から落とし込んで積み重ねた後に、各ナット２８を締め付けるとよい。これにより、パネル取付作業を能率的に行うことができる。
【００３２】
上記のパネル取付構造１５によれば、固定金物２３の落下防止部２５を支柱前面に固定された受け部材２０の垂直板状受け部２０ａに載せるだけで、パネル取付構造の主たる部材である固定金物２３が支柱１２に仮保持されるので、ボルト締め等のその後の作業が容易であり、パネル取付の作業性は良好である。
この場合、落下防止部２５が、受け部材２０の垂直板状受け部２０ａに係止可能な下向き突片２５ｂを持つので、施工中に、仮保持された固定金物２３が落下する恐れはない。また、施工後に仮にナット２８がボルト２７から外れたとしても、固定金物２３が落下する恐れはない。
【００３３】
また、固定金物２３の重量は落下防止部２５を介して、支柱１２に固定された受け部材２０が受けるので、ボルト２７には作用しない。したがって、ボルト２７には締め付け荷重以外の余分な力は作用せず、ボルト２７に例えば道路から伝わる振動による金属疲労が発生する恐れは少ない。
支柱１２が角形鋼管でありＨ形鋼と比べて捻れ剛性が高いので、また、上記の各効果と相俟って、このパネル取付構造１５は、大形で支柱１２に大きな荷重が作用する場合に特に有効である。
また、ナット２８が固定金物２３の外側になるので、ナット緩みの有無を容易に確認することができ、また、締め増しも容易であり、メンテナンスを行い易い。
【００３４】
また、実施例のように固定金物２３の断面形状を幅方向中央部にコ字形部２４ｂを持つハット形断面形状とすることで、固定金物２３の剛性を高くすることができる。
【００３５】
上述の実施例は、パネル１３が吸音パネルの場合、すなわち防音壁が吸音壁である場合であるが、吸音壁の場合、壁高さが高くパネルの枚数が多数で支柱に作用する荷重が大となる場合があり、また、支柱が直立部のみでなく上部に湾曲部を持つ場合もあり、風圧荷重により捻り力が作用し易い場合があるので、本発明のパネル取付構造はそのような吸音壁に適用して特に好適である。
【実施例２】
【００３６】
図１３に示した実施例のパネル取付構造１５’のように、固定金物２３’の固定金物本体２４’をハット形でなく、パネル１３を押さえる両側の垂直平板部２４ａ’及びボルト挿通穴２４ｃ（図示せず）をあけた中央部２４ｂ’の全体を単なる平板とすることもできる。この場合、載置部２５ａ’の先端に下向き突片２５ｂ’を持つ落下防止部２５’を固定金物本体２４’に溶接固定する場合、十分な剛性を持つように補強するとよい。
この場合、パネル１３を押さえる両側の垂直平板部２４ａ’が支柱前面１２ａから離れるので、パネル１３の厚みが実施例１のものと同じであれば、支柱１２の側面に固定するパネル背面受け部１６も、図示の通り位置を支柱前面１２ａ側にずらす。
【実施例３】
【００３７】
上述の実施例では、支柱１２側に溶接固定したパネル背面受け部１６として山形鋼を用いたが、山形鋼に限らず、パネルの背面側を受けることができる適宜の部材を用いることができる。
また、実施例のように支柱１２とは別部材を側面に溶接固定する場合に限らず、図１５（イ）、（ロ）の構造と同様に、支柱１２の前面１２ａ自体をパネル背面受け部として利用することも可能である。
【符号の説明】
【００３８】
１１  防音壁
１２  支柱（角形鋼管）
１２ａ  支柱前面
１３  パネル（吸音パネル）
１３ｅ  金属板製外郭
１３ｆ  吸音材
１５  パネル取付構造
１６  パネル背面受け部
１７  溝状空間
１８  パネル拘束構造
２０  受け部材
２０ａ  垂直板状受け部
２０ｂ  ボルト挿通穴
２１  取付部材
２３  固定金物
２４  固定金物本体
２４ａ  垂直平板部
２４ｂ  コ字形部
２４ｃ  ボルト挿通穴
２５  落下防止部
２５ａ  載置部
２５ｂ  下向き突片
２７  ボルト
２８  ナット
２９  回り止め部材
２９ａ  ボルト挿通穴
２９ｂ  平板部
２９ｃ  フック部
２９ｄ  頭部受け片
【図１】
2011214220.tif 000003
【図２】
2011214220.tif 000004
【図３】
2011214220.tif 000005
【図４】
2011214220.tif 000006
【図５】
2011214220.tif 000007
【図６】
2011214220.tif 000008
【図７】
2011214220.tif 000009
【図８】
2011214220.tif 000010
【図９】
2011214220.tif 000011
【図１０】
2011214220.tif 000012
【図１１】
2011214220.tif 000013
【図１２】
2011214220.tif 000014
【図１３】
2011214220.tif 000015
【図１４】
2011214220.tif 000016
【図１５】
2011214220.tif 000017